(57)【要約】【課題】軽量化しつつ、多方向にスライド移動可能なモジュール、並びにスライドモジュールを有する携帯端末を提供する。【解決手段】第１筐体１に取付けられ、少なくとも２辺のガイド溝２１を屈曲状に連続して形成したベース部材２０と、第１筐体１と相対移動する第２筐体２に取付けられ、ガイド溝２１内を回転不能にされつつ摺動可能なスライド部材３０と、ベース部材２０とスライド部材３０とに亘って設けられ、スライド部材２０をガイド溝２１内の端点側に移動するよう付勢する第１付勢手段３１と、を備えた。【選択図】図５
2011259085.tif 000002
【特許請求の範囲】
【請求項１】
第１筐体に取付けられ、少なくとも２辺のガイド溝を屈曲状に連続して形成したベース部材と、
前記第１筐体と相対移動する第２筐体に取付けられ、前記ガイド溝内を回転不能にされつつ摺動可能なスライド部材と、
前記ベース部材と前記スライド部材とに亘って設けられ、前記スライド部材を前記ガイド溝内の端点側に移動するよう付勢する第１付勢手段と、を備えたスライドモジュール。
【請求項２】
前記ベース部材に前記ガイド溝の一辺に沿って形成されたガイド部材摺動溝と、
前記ガイド部材摺動溝内を回転不能にされつつ移動可能に構成され、かつ、前記ガイド溝の一辺を前記スライド部材が摺動する際に前記スライド部材を保持するガイド部材と、
前記ベース部材と前記ガイド部材とに亘って設けられ、前記ガイド部材を前記ガイド部材摺動溝の端点側に移動するよう付勢する第２付勢手段とを、備えた請求項１記載のスライドモジュール。
【請求項３】
前記ガイド部材の一部に前記ガイド溝の一辺に対して近接離間する方向に長孔が形成され、
前記ベース部材に前記ガイド部材摺動溝の中央部で近接し、両端部に向かうほど離間する円弧状溝が形成され、
第２付勢手段のベース部材側の支持端部が前記長孔内及び前記円弧状溝内で移動可能に構成された請求項２記載のスライドモジュール。
【請求項４】
前記第１付勢手段が、中央部に巻回したコイル部と、前記コイル部の一端側に設けられ前記ベース部材に取付けられる第１腕部と、前記コイル部の他端側に設けられ前記スライド部材に取付けられる第２腕部とを有する請求項１〜３のうちいずれか一項に記載のスライドモジュール。
【請求項５】
前記スライド部材が、板状部と、前記板状部の前記ガイド溝に対向する側に備えられた突状部とを有するとともに、
前記ガイド溝が、前記突状部が挿入可能なガイド孔部と、前記ガイド孔部の周囲において前記板状部の底面部を支持する底面支持部と、前記底面支持部の周縁部に立設されて前記板状部を前記ガイド溝に対して回転不能に規制する壁部とを有する請求項１〜４のうちいずれか一項に記載のスライドモジュール。
【請求項６】
前記第１付勢手段は、前記ベース部材側に取付けられた端部をスライド部材の移動に応じて付勢力が強まるよう移動可能に構成してある請求項１〜５のうちいずれか一項に記載のスライドモジュール。
【請求項７】
請求項１〜６のうちいずれか一項に記載のスライドモジュールと、
前記第１筐体として表示部を有する筐体と、
前記第２筐体として操作部を有する筐体と、を備えた携帯端末。
【請求項８】
前記ガイド溝が、
前記ベース部材の長手方向及び幅方向のいずれか一方に直線状に形成された第１ガイド溝と、
前記第１ガイド溝の一方の端部から前記第１ガイド溝に対して略垂直方向に連続して形成された第２ガイド溝と、
前記２ガイド溝の第１ガイド溝の側とは反対側の端部から前記第１ガイド溝に対して略平行方向に連続して形成された第３ガイド溝とを有してコ字状に構成されている請求項７記載の携帯端末。
【発明の詳細な説明】
【技術分野】
【０００１】
本発明は、スライドモジュールを有する携帯端末に関し、より詳しくは、携帯端末を長手方向と幅方向に開放し得るスライドモジュール及びスライドモジュールを有する携帯端末に関する。
【背景技術】
【０００２】
携帯端末の一種である携帯電話においては、例えばディスプレイ等の表示部を有する第１筐体と、ボタン等の操作部を有する第２筐体とを重ねあわせて、第１筐体で第２筐体の上面を完全に覆う状態と、第１筐体を第２筐体に対して長手方向にスライドさせて第２筐体の上面の一部を露出させる状態とに切換えるものがある。こういった携帯電話には通常、スライドモジュールが組み込まれており、例えば特許文献１に示すスライドモジュールでは、筐体の長手方向または幅方向の一方向に一方の筐体をスライドさせることができる。
【先行技術文献】
【特許文献】
【０００３】
【特許文献１】特開２００７−１１０７２６号公報
【発明の概要】
【発明が解決しようとする課題】
【０００４】
特許文献１に示すスライドモジュールは、平板状のガイド部材と、同じく平板状の長手方向スライド用の第１スライド部材と幅方向スライド用の第２スライド部材とにより構成されている。したがって、スライドモジュールが大型化し、携帯端末等の重量が必要以上に増加する傾向にあり、また、筐体のスライド方向が長手方向と幅方向のいずれかに限定されるために、携帯端末等の多様な使用状態に充足し得ないこともあった。
【０００５】
本発明は、軽量化しつつ、多方向にスライド移動可能なモジュール、並びにスライドモジュールを有する携帯端末を提供することを目的としている。
【課題を解決するための手段】
【０００６】
本発明に係るスライドモジュールの第１の特徴構成は、第１筐体に取付けられ、少なくとも２辺のガイド溝を屈曲状に連続して形成したベース部材と、前記第１筐体と相対移動する第２筐体に取付けられ、前記ガイド溝内を回転不能にされつつ摺動可能なスライド部材と、前記ベース部材と前記スライド部材とに亘って設けられ、前記スライド部材を前記ガイド溝内の端点側に移動するよう付勢する第１付勢手段と、を備えた点にある。
【０００７】
本構成のように、スライドモジュールは、ベース部材に少なくとも２辺のガイド溝が屈曲状に連続して形成されている。よって、ガイド溝内をスライド部材が摺動することで、少なくとも２方向への筐体のスライド移動を可能にする。また、スライド部材がガイド溝の一辺の中央部からいずれか一方の端点寄りの位置に移動すると、第１付勢手段がスライド部材をガイド溝内の端点側に付勢するよう構成してあるので、スライド部材のガイド溝内の摺動がスムーズになる。
【０００８】
また、スライドモジュールがベース部材とベース部材に形成されたガイド溝内を摺動するスライド部材とにより構成してあるので、スライドモジュールの軽量化が図られる。さらに、スライド部材がガイド溝内において回転不能な状態で摺動するので、スライド部材と共にスライド移動する筐体の姿勢が安定に保持される。その結果、スライドモジュールにスライド支持された筐体の使い勝手も向上する。
【０００９】
本発明に係るスライドモジュールの第２の特徴構成は、前記ベース部材に前記ガイド溝の一辺に沿って形成されたガイド部材摺動溝と、前記ガイド部材摺動溝内を回転不能にされつつ移動可能に構成され、かつ、前記ガイド溝の一辺を前記スライド部材が摺動する際に前記スライド部材を保持するガイド部材と、前記ベース部材と前記ガイド部材とに亘って設けられ、前記ガイド部材を前記ガイド部材摺動溝の端点側に移動するよう付勢する第２付勢手段とを、備えた点にある。
【００１０】
上述のように、スライドモジュールには、スライド部材をガイド溝の端点側に移動するよう付勢する第１付勢手段が備えられている。しかしながら、ガイド溝におけるスライド部材の摺動方向によっては、例えば第１付勢手段を構成するバネ等が伸びきった状態となって、第１付勢手段の付勢力が小さくなることもある。
【００１１】
そこで、本構成の如く、スケジュールモジュールのベース部材にガイド溝の一辺に沿ったガイド部材摺動溝を形成し、スライド部材を保持して、ガイド部材摺動溝内を回転不能にされつつ移動可能なガイド部材と、ガイド部材をガイド部材摺動溝の端点側に付勢する第２付勢手段を備えるようにした。こうすることで、ガイド溝の一辺においてスライド部材がガイド部材によって回転不能に保持されて摺動することができる。また、第２付勢手段がガイド部材をガイド部材摺動溝の端点側へ付勢するので、ガイド部材に保持されたスライド部材がガイド部材摺動溝に沿うガイド溝の端点へ移動し易くなる。
【００１２】
本発明に係るスライドモジュールの第３の特徴構成は、前記ガイド部材の一部に前記ガイド溝の一辺に対して近接離間する方向に長孔が形成され、前記ベース部材に前記ガイド部材摺動溝の中央部で近接し、両端部に向かうほど離間する円弧状溝が形成され、第２付勢手段のベース部材側の支持端部が前記長孔内及び前記円弧状溝内で移動可能に構成された点にある。
【００１３】
ガイド部材をガイド部材摺動溝の端点側に付勢する第２付勢手段は、ガイド部材摺動溝の長手方向の中央部においては、ガイド部材摺動溝の端点側への付勢力が蓄積された状態となる。ここで、ガイド部材の一部にガイド溝の一辺に対して近接離間する方向に長孔を形成し、ベース部材にガイド部材摺動溝の中央部で近接し、両端部に向かうほど離間する円弧状溝を形成する。このようにして、第２付勢手段のベース部材側の支持端部が長孔内及び円弧状溝内で移動可能に構成すると、第２付勢手段の両支持端部は、ガイド部材がガイド部材摺動溝の長手方向の中央部に位置した際に最も近接し、大きな付勢力が蓄積される。一方、ガイド部材がガイド部材摺動溝の長手方向の中央部を過ぎると、第２付勢手段の両支持端部は、ガイド部材の摺動溝の両端部へ向かうほど離間するので、ガイド部材に対して第２付勢手段による付勢力が作用し易くなり、ガイド部材に保持されたスライド部材の移動がよりスムーズとなる。
【００１４】
本発明に係るスライドモジュールの第４の特徴構成は、前記第１付勢手段が、中央部に巻回したコイル部と、前記コイル部の一端側に設けられ前記ベース部材に取付けられる第１腕部と、前記コイル部の他端側に設けられ前記スライド部材に取付けられる第２腕部とを有する点にある。
【００１５】
このように、第１付勢手段が、コイル部とその両側の腕部とで構成されているので、スライド部材をガイド溝の端点側に確実に付勢することができる。また、第１付勢手段をベース部材に沿う形状にすること可能となるので、スライドモジュール全体の薄型化にも対応できる。
【００１６】
本発明に係るスライドモジュールの第５の特徴構成は、前記スライド部材が、板状部と、前記板状部の前記ガイド溝に対向する側に備えられた突状部とを有するとともに、前記ガイド溝が、前記突状部が挿入可能なガイド孔部と、前記ガイド孔部の周囲において前記板状部の底面部を支持する底面支持部と、前記底面支持部の周縁部に立設されて前記板状部を前記ガイド溝に対して回転不能に規制する壁部とを有する点にある。
【００１７】
この構成により、ベース部材に形成されるガイド溝のガイド孔部は、スライド部材に備えられた突状部が挿入して移動できる程度の幅であれば十分となる。よって、ベース部材におけるガイド孔の領域が小さくでき、結果的にベース部材の強度を向上させることができる。また、スライド部材の板状部は、ガイド溝の底面支持部に支持され、かつ、底面支持部の周縁部に立設された壁部によって回転不能に確実に規制されて摺動する。よって、スライドモジュールが備えられた筐体の姿勢を安定的に保持することができる。
【００１８】
本発明に係るスライドモジュールの第６の特徴構成は、前記第１付勢手段は、前記ベース部材側に取付けられた端部をスライド部材の移動に応じて付勢力が強まるよう移動可能に構成してある点にある。
【００１９】
第１付勢手段の端部がベース部材に固着されていると、ガイド溝内におけるスライド部材の位置によっては第１付勢手段の付勢力が弱まることもある。そこで、本構成の如く、スライド部材の移動に応じて第１付勢手段のベース部材側に取付けられた端部が移動して付勢力を強まるよう構成することで、第１付勢手段をより効果的に作用させることができる。
【００２０】
本発明に係る携帯端末の第１の特徴構成は、上記特徴構成１〜６のうちいずれかを備えたスライドモジュールと、前記第１筐体として表示部を有する筐体と、前記第２筐体として操作部を有する筐体と、を備えた点にある。
【００２１】
この構成により、操作部を有する筐体に対して、表示部を有する筐体を安定した姿勢で確実にスライド移動させることができ、携帯端末の操作性を向上させることができる。
【００２２】
本発明に係る携帯端末の第２の特徴構成は、前記ガイド溝が、前記ベース部材の長手方向及び幅方向のいずれか一方に直線状に形成された第１ガイド溝と、前記第１ガイド溝の一方の端部から前記第１ガイド溝に対して略垂直方向に連続して形成された第２ガイド溝と、前記２ガイド溝の第１ガイド溝の側とは反対側の端部から前記第１ガイド溝に対して略平行方向に連続して形成された第３ガイド溝とを有してコ字状に構成されている点にある。
【００２３】
この構成により、ガイド溝が、第１ガイド溝、第２ガイド溝、及び第３ガイド溝によりコ字状に形成されて、第２筐体に対して、第１ガイド溝の端部にスライド部材を移動させて第１筐体を縦方向へスライド移動させることや、第２ガイド溝と第３ガイド溝の交点にスライド部材が移動する横方向へのスライド移動、さらには、第３ガイド溝の他方の端部にむけてのスライド移動が可能になる。
【図面の簡単な説明】
【００２４】
【図１】スライドモジュールの斜視図である。
【図２】スライドモジュールの分解斜視図である。
【図３】スライドモジュールの部分背面図である。
【図４】第１筐体と第２筐体とが完全に重合した状態の携帯端末と、そのときのスライドモジュールの状態を示す図である。
【図５】第１筐体に対して第２筐体が縦（長手）方向に相対移動した状態の携帯端末と、そのときのスライドモジュールの状態を示す図である。
【図６】第１筐体に対して第２筐体が横（短手）方向に相対移動した状態の携帯端末と、そのときのスライドモジュールの状態を示す図である。
【図７】第１筐体に対して第２筐体が縦（長手）方向に相対移動した後、さらに第２筐体が横（短手）方向に相対移動した状態の携帯端末と、そのときのスライドモジュールの状態を示す図である。
【図８】実施形態２のスライドモジュールの分解斜視図である。
【図９】実施形態２のスライドモジュールの動作説明図である。
【図１０】別実施形態のスライドモジュールの斜視図である。
【発明を実施するための形態】
【００２５】
以下、本発明の実施形態を図面に基づいて説明する。
【００２６】
[実施形態１]
図１はスライドモジュールの斜視図、図２はスライドモジュールの分解斜視図、図３はスライドモジュールの部分背面図をそれぞれ示す。
図１及び図２に示すように、スライドモジュール１０は、矩形の薄板形状のベース部材２０と、スライド部材３０とを備える。ベース部材２０は矩形状の板材であって、スライド部材３０が摺動移動できるようにコ字状のガイド溝２１が形成されている。ガイド溝２１はベース部材２０の長手方向に直線状に形成された第１ガイド溝２２と、第１ガイド溝２２の一方の端部２２Ａから第１ガイド溝２２に対して略垂直方向に連続して形成された第２ガイド溝２３と、第２ガイド溝２３の第１ガイド溝２２と交差する側の端部２３Ａとは反対側の端部２３Ｂから第１ガイド溝２２に対して略平行方向に連続して形成された第３ガイド溝２４とを有する。
【００２７】
スライド部材３０は、板状部３０ａと板状部３０ａのガイド溝２１に対向する側に備えられた突状部３０ｂとを有する。スライド部材３０が摺動するガイド溝２１は、ガイド孔部２１ａと、ガイド孔部２１ａの周囲において板状部３０ａの底面を支持する底面支持部２１ｂと、支持部２１ｂの周縁部に立設された壁部２１ｃとを有する。
【００２８】
また、スライドモジュール１０は、ベース部材２０に形成されたガイド溝２１の一辺において、スライド部材３０を保持しつつ案内するガイド部材４０を備える。ガイド部材４０はコ字状の平板であって、第１ガイド溝２２に沿う方向にスライド部材３０の板状部３０ａと係脱可能な凹部４０Ａが形成されている。ベース部材２０には、第２ガイド溝２３に沿ってガイド部材４０を移動可能にするガイド部材摺動溝４１が形成されている。即ち、第２ガイド溝２３内において、スライド部材３０がガイド部材４０と係合した状態で摺動するよう構成されている。
【００２９】
ベース部材２０とスライド部材３０とに亘って第１付勢手段３１が設けられている。第１付勢手段３１は、中央部に巻回したコイル部３１ａと、コイル部３１ａの一端側に設けられた第１腕部３１ｂとコイル部３１ａの他端側に設けられた第２腕部３１ｃとを有する。第１付勢手段の第１付勢手段３１は、スライド部材３０をガイド溝２１内の端点側に移動するよう付勢する。
【００３０】
また、ベース部材２０とガイド部材４０とに亘って第２付勢手段４２が設けられている。第２付勢手段４２は、中央部に巻回したコイル部４２ａと、コイル部４２ａの一端側に設けられた第１腕部４２ｂとコイル部４２ａの他端側に設けられた第２腕部４２ｃとを有する。第２付勢手段４２は、ガイド部材４０をガイド部材摺動溝４１内の端点側に移動するよう付勢する。第１付勢手段３１、第２付勢手段４２は共に、スライド部材３０がガイド溝２１の一辺の中央部を過ぎると力の方向（戻りと押し出し）が変化するように設定されている。
【００３１】
図２及び図３に示すように、スライド部材３０の突状部３０ｂは、ベース部材２０のガイド孔部２１ａに挿入し、突状部３０ｂの端部をベース体３４に形成された孔部３４ａに嵌め合わせて固定する。板状部３０ａとベース体３４の孔部３４ａとの間に位置する突状部３０ｂには、リング状のローラ部材３２とリング状のフランジ部材３３が嵌め込まれている。
【００３２】
第１付勢手段３１は、第１腕部３１ｂのリング状の端部がスライド部材３０の突状部３０ｂに嵌め込まれたフランジ部材３３に支承されており、第２腕部３１ｃのリング状の端部はベース部材２０の中央部２０ａでピン３５に支承されている。
【００３３】
コ字状のガイド部材４０において、ガイド部材摺動溝４１に沿う部分にはガイド部材摺動溝４１に平行に２つの孔部４０ａ，４０ａが形成されており、ベース部材２０の裏側のガイド部材摺動溝４１から孔部４０ａ，４０ａの間にフランジ部材４３を当て付け、孔部４０ａ，４０ａにピン４４ａ，４４ｂを嵌め込んで固定している。第２付勢手段４２は、一端側がスライド部材３０にフランジ部材４３を固定する一方のピン４４ａで支承されており、他端側はベース部材２０の短手方向の周縁中央部２０ｂにピン４５で支承されている。
【００３４】
次に、スライドモジュールの動作について説明する。
図４に示すように、略矩形状である第１筐体１と、同じく略矩形状を呈する第２筐体２とを有する携帯端末Ｐにおいて、スライドモジュール１０は、第１筐体１と第２筐体２とが重合する部分に設けられている。第１筐体１の上面には液晶部等の表示部１ａが備えられており、第２筐体２において第１筐体１と重合する面には押しボタン式等の操作部２ａが備えられている。
【００３５】
図４のスライドモジュール１０の状態では、第１筐体１と第２筐体２とが完全に重合しており、第２筐体２の操作部２ａは露出せず、第１筐体１の表示部１ａだけが表出する（いわゆる通常状態）。このとき、スライド部材３０は第１ガイド溝２２の端点２２ａ及び第２ガイド溝２３の端点２３ａが存在する隅部に位置し、ガイド部材４０と係合した状態にある。
【００３６】
[縦方向への相対移動]
例えば、携帯端末Ｐの第１筐体１の表示部１ａを縦方向で使用する場合等には、通常状態（図４）の携帯端末Ｐの第１筐体１を第２筐体２の長手方向に相対移動させる（図５）。そうすると、縦長の表示部１ａの下方に、電話機能等を使用するための数字キー等が配列された操作部２ａが露出する。
【００３７】
このとき、スライドモジュール１０のスライド部材３０はガイド部材４０から離間して第１ガイド溝２２と第２ガイド溝２３とが交差する隅部（２２ａ，２３ａ）から第１ガイド溝２２の端部２２Ｂにスライド移動する。当初、第１付勢手段３１は、スライド部材３０の端点２２ａ側に付勢するが、スライド部材３０が第１ガイド溝２２の中央部を越えて端点２２ｂ側に近づくと、スライド部材３０を第１ガイド溝２２の端点２２ｂ側に付勢するよう作用する。こうして、スライド部材３０は第１ガイド溝２２の端部２２Ｂの位置に保持される。また、スライド部材３０の板状部３０ａは、ガイド溝２１の底面支持部２１ｂに支持され、底面支持部２１ｂの周縁部に立設された壁部２１ｃによって回転不能に規制されながら摺動する。
【００３８】
[横方向への相対移動]
例えば、携帯端末Ｐの第１筐体１の表示部１ａを横方向で使用する場合等には、通常状態（図４）の携帯端末Ｐの第１筐体１を第２筐体２の短手方向に相対移動させる（図６）。そうすると、横長の表示部１ａの下方に、電話機能等を使用するための数字キー等が配列された操作部２ａが露出する。
【００３９】
このとき、スライドモジュール１０のスライド部材３０は第１ガイド溝２２と第２ガイド溝とが交差する隅部（２２Ａ，２３Ａ）から第２ガイド溝２３と第３ガイド溝２４とが交差する隅部（２３Ｂ，２４Ａ）にスライド移動する。スライド部材３０はガイド部材４０に保持されたままの状態で第２ガイド溝２３内を摺動する。第１付勢手段３１は第２ガイド溝２３の中間部を越えて第２ガイド溝２３の端点２３ｂ側に近づくと、スライド部材３０を第２ガイド溝２３の端点２３ｂ側に付勢する。こうして、スライド部材３０は第２ガイド溝２３と第３ガイド溝２４とが交差する隅部（２３Ｂ，２４Ａ）で保持される。
【００４０】
ガイド部材４０とベース部材２０とに亘って第２付勢手段４２が設けられているので、ガイド部材４０のガイド部材摺動溝４１内の移動の際に第２付勢手段４２がガイド部材４０をガイド部材摺動溝４１の端点側４１ａ，４１ｂに付勢する。この付勢力によって、スライド部材３０の第２ガイド溝２３内での摺動もスムーズになる。
【００４１】
[横方向への相対移動後、縦方向への相対移動]
例えば、携帯端末Ｐの第２筐体２の操作部２ａを最大限表示させて使用する場合等には図６の状態の携帯端末Ｐの第１筐体１を第２筐体２の長手方向にさらに相対移動させる（図７）。そうすると、表示部１ａの下方に、電話機能等を使用するための数字キー等が配列された操作部２ａが縦及び横方向に最大限露出する。
【００４２】
ベース部材２０に対し、スライド部材４０を第２ガイド溝２３と第３ガイド溝２４とが交差する隅部（２３Ｂ，２４Ａ）から、さらに第３ガイド溝２４の端点２４ｂまで摺動させると、図７に示すように、横スライド移動した第１筐体１が第２筐体２の縦（長手）方向にスライド移動する。そうすると、縦画面の表示部１ａの下方に、電話機能等を使用するための数字キー等が配列された操作部２ａが露出する。
【００４３】
このとき、スライド部材３０はガイド部材４０から離間して第３ガイド溝２４の端点２４ｂにスライド移動する。第１付勢手段３１はスライド部材３０が第３ガイド溝２４の中央部を越えて端点２４ｂ側に近づくと、スライド部材３０を第３ガイド溝２４の端点２４ｂ側に付勢する。こうして、スライド部材３０が第３ガイド溝２４の端点２４ｂ側に保持される。
【００４４】
上記の構成により、スライド部材３０がコ字状のガイド溝２１に沿って移動可能となり、外部から力を加えなければコ字状のガイド溝２１の四隅の内、一隅にスライド部材を保持することが可能となる。また、スライド部材３０のガイド溝２１内の摺動に際し、ベース部材２０に形成されるガイド溝２１のガイド孔部２１ａは、スライド部材３０に備えられた突状部３０ｂが挿入して移動できる程度の幅であれば十分である。よって、ベース部材２０におけるガイド孔２１ａの領域を小さくすることができ、結果的にベース部材２０の強度を向上させることができる。
【００４５】
[実施形態２]
本実施形態のスライドモジュール１０は、図８に示すように、ガイド部材４０に長孔４０ｂが形成されており、ベース部材２０にガイド部材摺動溝４１に沿うように第２付勢手段４２の端部移動溝４６が形成されている。長孔４０ｂは、コ字状のガイド部材４０のガイド部材摺動溝４１に沿う部分の幅広の中央部にガイド部材摺動溝４１に対して近接離間方向に形成されている。端部移動溝４６は、ベース部材２０のガイド部材摺動溝４１に対して第２ガイド溝２３とは反対側にガイド部材摺動溝４１に沿うように形成されている。端部移動溝４６は円弧状であって、ガイド部材摺動溝４１の中央部に近接し、ガイド部材摺動溝４１の両端部４１ａ，４１ｂとは離間する。第２付勢手段４２の端部４２Ｂはフランジ部材４３の中央部にピン４７で支承されており、端部４２Ｃは端部移動溝４６および長孔４０ｂに挿入したピン４５に支承されている。ピン４５は、長孔４０ｂとの接触部分に円筒カバー４８が配置され、上端部に抜け止め部材４９が取り付けられている。
【００４６】
このように構成されたスライドモジュール１０は、図９に示すように、ガイド部材４０がガイド部材摺動溝４１の中央部に位置する際に、第２付勢手段４２のガイド部材４０側の端部４２Ｂに対してベース部材２０側の端部４２Ｃが近接した位置になる。一方、ガイド部材４０がガイド部材摺動溝４１の両端部４１ａ、４１ｂ側に向かうほど、第２付勢手段４２のガイド部材４０側の端部４２Ｂに対してベース部材２０側の端部４２Ｃが離間した位置となる。
【００４７】
こうして、図９のようにガイド部材４０がガイド部材摺動溝４１の中央部に位置するときに、第２付勢手段４２の付勢力がより蓄積され、ガイド部材４０がガイド部材摺動溝４１の両端部４１ａ，４１ｂに向かう際には、第２付勢手段４２に蓄積された付勢力がガイド部材４０に作用する。その結果、スライド部材３０をガイド溝２１の端点側にスムーズに移動させることができる。
【００４８】
[他の実施形態]
（１）第１付勢手段３１のベース部材２０側の端部３１Ｃがベース部材２０の所定位置で支承されていると、ガイド溝２１内におけるスライド部材３０の位置によっては第１付勢手段３１の付勢力が弱まることもある。そこで、図１０に示すように、第１付勢手段３１のベース部材２０側の端部３１Ｃは、ベース部材２０の中央部に形成された円弧状の端部移動溝２５内にピン３５で移動可能に支承する。こうすると、第１付勢手段３１をスライド部材３０の移動に応じて付勢力が強まる方向に移動可能に構成でき、第１付勢手段３１をより効果的に作用させることができる。
【００４９】
図１０では、スライド部３０が第１ガイド溝２２と第２ガイド溝２３とが交差する隅部（２２Ａ，２３Ａ）に位置しており、第１付勢手段３１のベース部材２０側の端部３１Ｃは端部移動溝２５において第３ガイド溝２４寄りに支承されている。このスライド部材３０を第２ガイド溝２３と第３ガイド溝２４とが交差する隅部（２３Ｂ，２４Ａ）に移動させると、端部移動溝２５において第１付勢手段３１のベース部材２０側の端部３１Ｃは第１ガイド溝２２寄りに移動してスライド部材３０を付勢することとなる。
【００５０】
（２）上記の実施形態では、第１付勢手段３１及び第２付勢手段４２をベース部材２０の第２筐体２に対向する側に配置したが、図１０に示すように、第１付勢手段３１及び第２付勢手段４２をベース部材２０の第１筐体１に対向する側に配置してもよい。第１付勢手段３１は、スライド部材３０側の端部３１Ｂが板状部３０ａの上面のピン３６に支承され、ベース部材２０側の端部３１Ｃがベース部材２０の上面のピン３５で支承される。第２付勢手段４２は、ガイド部材４０側の端部４２Ｂがガイド部材４０の上面のピン４４ｂに支承され、ベース部材２０側の端部４２Ｃがベース部材２０の上面にピン４５で支承される。
【００５１】
（３）上記の実施形態では、３辺からなるコ字状のガイド溝２１を示したが、ガイド溝２１は２辺であってもよいし、４辺以上であってもよい。
【００５２】
（４）ガイド溝２１やスライド部材３０の形状等により、ガイド溝２１内をスライド部材３０が回転不能に摺動可能である場合には、ガイド部材４０、第２付勢手段４２は設けなくてもよい。
【産業上の利用可能性】
【００５３】
本発明に係るスライドモジュールは、携帯電話、ＰＤＡ、携帯型ＰＣ、ノートＰＣ等、スライド可能な電子機器全般に広く適用することができる。
【符号の説明】
【００５４】
１  第１筐体
２  第２筐体
１０  スライドモジュール
２０  ベース部材
２１  ガイド溝
２１ａ  ガイド孔部
２１ｂ  底面支持部
２１ｃ  壁部
２２  第１ガイド溝
２３  第２ガイド溝
２４  第３ガイド溝
３０  スライド部材
３０ａ  板状部
３０ｂ  突状部
３１  第１付勢手段
３１ａ  コイル部
３１ｂ  第１腕部
３１ｃ  第２腕部
４０  ガイド部材
４１  ガイド部材摺動溝
４２  第２付勢手段
４６  端部移動溝
【図１】
2011259085.tif 000003
【図２】
2011259085.tif 000004
【図３】
2011259085.tif 000005
【図４】
2011259085.tif 000006
【図５】
2011259085.tif 000007
【図６】
2011259085.tif 000008
【図７】
2011259085.tif 000009
【図８】
2011259085.tif 000010
【図９】
2011259085.tif 000011
【図１０】
2011259085.tif 000012